(57)【要約】      （修正有）【課題】書き換えエントリ数を削減できる伝送装置を提供する。【解決手段】伝送装置１０は、外方向ＥＸＣ宛先テーブル及び内方向ＥＸＣ宛先テーブルを記憶する宛先テーブル記憶部１２１と、外方向ポインタ管理テーブル及び内方向ポインタ管理テーブルを記憶するポインタ管理テーブル記憶部１２３と、外方向ＥＸＣ宛先テーブル及び外方向ポインタ管理テーブルを参照し、宛先のトランスポンダ１３を決定し、内方向ＥＸＣ宛先テーブル及び内方向ポインタ管理テーブルを参照し、宛先の局内ＩＦ１１を決定する電気クロスコネクト１２と、外方向ポインタ管理テーブル及び内方向ポインタ管理テーブルの書き換えを電気クロスコネクト１２に指令するコントローラ１６とを備える。トランスポンダを切り替える際、ポインタ管理テーブルにおけるポインタと物理識別子との対応関係を書き換えるだけでよく、迅速にパスを切り替えることができる。【選択図】図６
2018085643.tif 000002
【特許請求の範囲】
【請求項１】
光パスを含む階層的なパスが複数設定された光伝送ネットワークに用いられ、前記光伝送ネットワークのインターフェースと、前記光パスの端点になるトランスポンダとを複数備える伝送装置であって、
前記インターフェースに関連した関連情報と、仮想的な前記トランスポンダの識別子であるポインタとを対応付けた宛先テーブルを記憶する宛先テーブル記憶部と、
前記ポインタと物理的な前記トランスポンダの識別子である物理識別子とを対応付けたポインタ管理テーブルを記憶するポインタ管理テーブル記憶部と、
前記宛先テーブル及び前記ポインタ管理テーブルを参照し、前記インターフェースから入力されたデータの宛先になるトランスポンダ、及び、前記トランスポンダから入力されたデータの宛先になるインターフェースを決定するスイッチング機能部と、
前記ポインタ管理テーブルの書き換えを前記スイッチング機能部に指令するコントローラと、を備えることを特徴とする伝送装置。
【請求項２】
前記宛先テーブル記憶部は、前記宛先テーブルとして、前記トランスポンダ決定用の第１宛先テーブルと、前記インターフェース決定用の第２宛先テーブルとを記憶し、
前記ポインタ管理テーブル記憶部は、前記ポインタ管理テーブルとして、前記トランスポンダ決定用の第１ポインタ管理テーブルと、前記インターフェース決定用の第２ポインタ管理テーブルとを記憶し、
前記スイッチング機能部は、前記第１宛先テーブル及び前記第１ポインタ管理テーブルを参照し、前記インターフェースから入力されたデータの宛先になるトランスポンダを決定し、前記第２宛先テーブル及び前記第２ポインタ管理テーブルを参照し、前記トランスポンダから入力されたデータの宛先になるインターフェースを決定することを特徴とする請求項１に記載の伝送装置。
【請求項３】
前記宛先テーブル記憶部は、前記インターフェースの関連情報として、前記インターフェースの識別子と、ＬＳＰのラベルとを記憶することを特徴とする請求項１又は請求項２に記載の伝送装置。
【請求項４】
請求項１に記載の伝送装置のトランスポンダを切り替えるトランスポンダ切替方法であって、
前記コントローラに、切り替え前後の前記トランスポンダの物理識別子が入力される入力ステップと、
前記コントローラが、前記入力ステップで入力されたトランスポンダの物理識別子に基づいて、前記ポインタ管理テーブルの書き換えを前記スイッチング機能部に指令する指令ステップと、
前記スイッチング機能部が、前記コントローラからの指令に応じて、前記ポインタ管理テーブル記憶部が記憶するポインタ管理テーブルを書き換える書換ステップと、
を備えることを特徴とするトランスポンダ切替方法。
【請求項５】
前記ポインタ管理テーブル記憶部が、前記ポインタ管理テーブルとして、前記トランスポンダ決定用の第１ポインタ管理テーブルと、前記インターフェース決定用の第２ポインタ管理テーブルとを記憶し、
前記書換ステップでは、前記スイッチング機能部が、
前記第１ポインタ管理テーブルにおいて、切り替え前の前記トランスポンダの物理識別子を、切り替え後の前記トランスポンダの物理識別子に書き換え、
前記第２ポインタ管理テーブルで前記切り替え前のトランスポンダの物理識別子に対応したレコードにおいて、当該レコードのポインタを該当なしに書き換え、
前記第２ポインタ管理テーブルで前記切り替え後のトランスポンダの物理識別子に対応したレコードにおいて、当該レコードのポインタを、前記切り替え前のトランスポンダのポインタに書き換えることを特徴とする請求項４に記載のトランスポンダ切替方法。
【請求項６】
前記スイッチング機能部が、前記宛先テーブル、及び、前記書換ステップで書き換えた後のポインタ管理テーブルを参照し、前記インターフェースから入力されたデータの宛先になるトランスポンダ、及び、前記トランスポンダから入力されたデータの宛先になるインターフェースを決定するスイッチングステップ、
をさらに備えることを特徴とする請求項４又は請求項５に記載のトランスポンダ切替方法。
【発明の詳細な説明】
【技術分野】
【０００１】
本発明は、光伝送ネットワークに用いられる伝送装置、及び、その伝送装置のトランスポンダ切替方法に関する。
【背景技術】
【０００２】
近年、複数のパスを階層的に収容したマルチレイヤ光伝送ネットワークが普及しつつある。マルチレイヤ光伝送ネットワークにおいて、光パスの端点となるトランスポンダが故障した際に、伝送装置が、故障したトランスポンダを予備のトランスポンダに切り替えて復旧することで、ネットワークの可用性を高める従来技術が提案されている（非特許文献１）。
【０００３】
図１を参照し、従来の伝送装置９について説明する。
伝送装置９は、マルチレイヤ光伝送ネットワーク９０に用いられるものである。図１に示すように、伝送装置９は、４個の局内ＩＦ（インターフェース）９１と、電気クロスコネクト（ＥＸＣ：Electric Cross Connect）９２と、４個のトランスポンダ（ＴＰ）９３と、光クロスコネクト（ＯＸＣ：Optical Cross Connect）９４と、２個の局間アンプ（ＡＭＰ）９５と、コントローラ９６とを備える。
【０００４】
マルチレイヤ光伝送ネットワーク９０は、ＰＷ(Pseudo Wire)９０Ａ、点線で図示したＬＳＰ(Label Switched Path)９０Ｂ、一点鎖線で図示した光パス９０Ｃといったパスを階層的に収容する。また、マルチレイヤ光伝送ネットワーク９０は、伝送装置９におけるパスの端点が異なる。つまり、ＬＳＰ９０Ｂの端点が局内ＩＦ９１となり、光パス９０Ｃの端点がトランスポンダ９３となる。
【０００５】
伝送装置９は、マルチレイヤ光伝送ネットワーク９０を介して、他の伝送装置（不図示）に接続される。また、伝送装置９は、ＰＷ９０Ａを介して、局内の通信装置２に接続される。
以後、局内の通信装置２から局間の光ファイバケーブル３への方向を「外方向（Outbound）」とし、局間の光ファイバケーブル３から局内の通信装置２への方向を「内方向（Inbound）」とする。
【０００６】
伝送装置９は、スイッチングに必要な各種テーブルを記憶、管理する。図２（ａ）に示すように、コントローラ９６は、ＰＷマッピングテーブル９００、ＬＳＰマッピングテーブル９１０、及び、光パスマッピングテーブル９２０を記憶する。また、図２（ｂ）に示すように、局内ＩＦ９１がＩＦ宛先テーブル９３０を記憶し、電気クロスコネクト９２がＥＸＣ宛先テーブル９４０を記憶し、トランスポンダ９３がＴＰ宛先テーブル９５０を記憶し、光クロスコネクト９４がＯＸＣ宛先テーブル９６０を記憶する。ここで、各局内ＩＦ９１１〜９１４がＩＦ宛先テーブル９３０１〜９３０４を記憶し、各トランスポンダ９３１〜９３４がＴＰ宛先テーブル９５０１〜９５０４を記憶する。
【０００７】
また、伝送装置９は、パケットが到着すると、各種テーブルを参照し、出力先を決定する。例えば、電気クロスコネクト９２は、局内ＩＦ９１から外方向のパケットが入力された場合、その局内ＩＦ９１の識別情報（ＩＤ：identification）及びＬＳＰラベルを検索キーとして、ＥＸＣ宛先テーブル９４０を検索し、出力先のトランスポンダ９３を決定する。一方、電気クロスコネクト９２は、トランスポンダ９３から内方向のパケットが入力された場合、トランスポンダ９３の識別情報及びＬＳＰラベルを検索キーとして、ＥＸＣ宛先テーブル９４０を検索し、出力先の局内ＩＦ９１を決定する。
【０００８】
また、伝送装置９は、トランスポンダ９３が故障した場合、他のトランスポンダ９３への切り替えを行う。ここで、伝送装置９は、光パス９０Ｃの端点となるトランスポンダ９３を切り替えるためには、トランスポンダ９３及び光パス９０Ｃの設定変更に加え、その光パス９０Ｃに収容されているＬＳＰ９０Ｂ及びＰＷ９０Ａの設定変更も必要となる。
【０００９】
例えば、１番目のトランスポンダ９３１を４番目のトランスポンダ９３４に切り替えることとする。図２（ａ）に示すように、光パスマッピングテーブル９２０には、トランスポンダ９３１からトランスポンダ９３４への切り替えが設定される。すると、コントローラ９６は、光パスマッピングテーブル９２０を参照し、電気クロスコネクト９２、トランスポンダ９３及び光クロスコネクト９４に対し、トランスポンダ９３１からトランスポンダ９３４への切り替えを指令する。この指令に応じて、電気クロスコネクト９２は、ＥＸＣ宛先テーブル９４０について、トランスポンダ９３１の識別情報（‘１’）をトランスポンダ９３４の識別情報（‘４’）に書き換える。さらに、トランスポンダ９３がＴＰ宛先テーブル９５０を書き換え、光クロスコネクト９４がＯＸＣ宛先テーブル９６０を書き換える。
【００１０】
なお、図２では、各テーブルで書き換えられた箇所を太枠で図示した。
また、図２では、説明を簡易にするため、ＥＸＣ宛先テーブル９４０を１個のみ図示したが、実際には、電気クロスコネクト９２は、後記するように外方向用及び内方向用に２個のＥＸＣ宛先テーブルをそれぞれ記憶する（図３参照）。
【先行技術文献】
【特許文献】
【００１１】
【非特許文献１】Tiejun J. Xia et al., “Introduction of Spectrally and Spatially Flexible Optical Networks,” IEEE Communication Magazine, IEEE, vol. 53, no. 2, pp. 24-33, Feb. 2015.
【発明の概要】
【発明が解決しようとする課題】
【００１２】
従来技術では、光パス９０Ｃの端点となるトランスポンダ９３を切り替える際に、ＥＸＣ宛先テーブル９４０において、当該光パス９０Ｃが収容する全ての論理パスに関するエントリ（レコード）を書き換える必要がある。具体的には、電気クロスコネクト９２は、図３に示すように、外方向ＥＸＣ宛先テーブル９４０Ｕにおいて、トランスポンダ９３１の識別情報が含まれる全てのエントリをトランスポンダ９３４の識別情報に書き換える。また、電気クロスコネクト９２は、内方向ＥＸＣ宛先テーブル９４０Ｄにおいて、トランスポンダ９３１の識別情報が含まれる全てのエントリをトランスポンダ９３４の識別情報に書き換える。
【００１３】
このように、従来技術では、光パス９０Ｃが収容する論理パス数が増加すると、書き換えエントリ数が増加するので、制御信号のロス等の要因で、エントリの書き換えに失敗する可能性が高くなる。つまり、従来技術では、書き換えエントリ数が増加すると、エントリの書き換えに失敗する確率が増加する。もしエントリの書き換えに失敗した場合、従来技術では、エントリ書き換えの再試行が必要となり、迅速なパスの切り替えが実現できない。
【００１４】
そこで、本発明は、書き換えエントリ数を削減できる伝送装置及びトランスポンダ切替方法を提供することを課題とする。
【課題を解決するための手段】
【００１５】
前記した課題に鑑みて、本発明に係る伝送装置は、光パスを含む階層的なパスが複数設定された光伝送ネットワークに用いられ、前記光伝送ネットワークのインターフェースと、前記光パスの端点になるトランスポンダとを複数備える伝送装置であって、前記インターフェースに関連した関連情報と、仮想的な前記トランスポンダの識別子であるポインタとを対応付けた宛先テーブルを記憶する宛先テーブル記憶部と、前記ポインタと物理的な前記トランスポンダの識別子である物理識別子とを対応付けたポインタ管理テーブルを記憶するポインタ管理テーブル記憶部と、前記宛先テーブル及び前記ポインタ管理テーブルを参照し、前記インターフェースから入力されたデータの宛先になるトランスポンダ、及び、前記トランスポンダから入力されたデータの宛先になるインターフェースを決定するスイッチング機能部と、前記ポインタ管理テーブルの書き換えを前記スイッチング機能部に指令するコントローラと、を備えることを特徴とする。
【００１６】
かかる伝送装置は、宛先テーブルにおいて、ポインタを用いて、物理的なトランスポンダを間接的に指定しているので、トランスポンダを切り替える際、ポインタ管理テーブルにおけるポインタと物理識別子との対応関係を書き換えるだけでよい。これにより、伝送装置は、書き換えエントリ数を削減し、迅速にパスを切り替えることができる。
【００１７】
また、本発明に係る伝送装置において、前記宛先テーブル記憶部は、前記宛先テーブルとして、前記トランスポンダ決定用の第１宛先テーブルと、前記インターフェース決定用の第２宛先テーブルとを記憶し、前記ポインタ管理テーブル記憶部は、前記ポインタ管理テーブルとして、前記トランスポンダ決定用の第１ポインタ管理テーブルと、前記インターフェース決定用の第２ポインタ管理テーブルとを記憶し、前記スイッチング機能部は、前記第１宛先テーブル及び前記第１ポインタ管理テーブルを参照し、前記インターフェースから入力されたデータの宛先になるトランスポンダを決定し、前記第２宛先テーブル及び前記第２ポインタ管理テーブルを参照し、前記トランスポンダから入力されたデータの宛先になるインターフェースを決定することが好ましい。
【００１８】
かかる伝送装置は、第１ポインタ管理テーブル及び第２ポインタ管理テーブルを書き換えるだけで、迅速にパスを切り替えることができる。
【００１９】
また、本発明に係る伝送装置において、前記宛先テーブル記憶部は、前記インターフェースの関連情報として、前記インターフェースの識別子と、ＬＳＰのラベルとを記憶することが好ましい。
【００２０】
かかる伝送装置は、ＰＷと、ＬＳＰと、光パスとを階層的に収容した光伝送ネットワークにおいて、迅速にパスを切り替えることができる。
【００２１】
また、前記した課題に鑑みて、本発明に係るトランスポンダ切替方法は、本発明に係る伝送装置のトランスポンダを切り替えるトランスポンダ切替方法であって、前記コントローラに、切り替え前後の前記トランスポンダの物理識別子が入力される入力ステップと、前記コントローラが、前記入力ステップで入力されたトランスポンダの物理識別子に基づいて、前記ポインタ管理テーブルの書き換えを前記スイッチング機能部に指令する指令ステップと、前記スイッチング機能部が、前記コントローラからの指令に応じて、前記ポインタ管理テーブル記憶部が記憶するポインタ管理テーブルを書き換える書換ステップと、を備えることを特徴とする。
【００２２】
かかるトランスポンダ切替方法では、宛先テーブルにおいて、ポインタを用いて、物理的なトランスポンダを間接的に指定しているので、トランスポンダを切り替える際、ポインタ管理テーブルにおけるポインタと物理識別子との対応関係を書き換えるだけでよい。これにより、トランスポンダ切替方法では、書き換えエントリ数を削減し、迅速にパスを切り替えることができる。
【００２３】
また、本発明に係るトランスポンダ切替方法において、前記ポインタ管理テーブル記憶部が、前記ポインタ管理テーブルとして、前記トランスポンダ決定用の第１ポインタ管理テーブルと、前記インターフェース決定用の第２ポインタ管理テーブルとを記憶し、前記書換ステップでは、前記スイッチング機能部が、前記第１ポインタ管理テーブルにおいて、切り替え前の前記トランスポンダの物理識別子を、切り替え後の前記トランスポンダの物理識別子に書き換え、前記第２ポインタ管理テーブルで前記切り替え前のトランスポンダの物理識別子に対応したレコードにおいて、当該レコードのポインタを該当なしに書き換え、前記第２ポインタ管理テーブルで前記切り替え後のトランスポンダの物理識別子に対応したレコードにおいて、当該レコードのポインタを、前記切り替え前のトランスポンダの物理識別子を表したポインタに書き換えることが好ましい。
【００２４】
かかるトランスポンダ切替方法では、第１ポインタ管理テーブル及び第２ポインタ管理テーブルを書き換えるだけで、迅速にパスを切り替えることができる。
【００２５】
また、本発明に係るトランスポンダ切替方法において、前記スイッチング機能部が、前記宛先テーブル、及び、前記書換ステップで書き換えた後のポインタ管理テーブルを参照し、前記インターフェースから入力されたデータの宛先になるトランスポンダ、及び、前記トランスポンダから入力されたデータの宛先になるインターフェースを決定するスイッチングステップ、をさらに備えることが好ましい。
【００２６】
かかるトランスポンダ切替方法では、書き換えられたポインタ管理テーブルを参照し、迅速にパスを切り替えることができる。
【発明の効果】
【００２７】
本発明によれば、書き換えエントリ数を削減し、迅速なパスの切り替えを実現することができる。
【図面の簡単な説明】
【００２８】
【図１】従来の伝送装置の構成を示すブロック図である。
【図２】（ａ）はマッピングテーブルのデータ構造を示す図であり、（ｂ）は宛先テーブルのデータ構造を示す図である。
【図３】トランスポンダの切り替えに伴うテーブルの書き換えを説明する説明図である。
【図４】本発明における伝送システムの概略構成図である。
【図５】マルチレイヤ光伝送ネットワークの階層を説明する説明図である。
【図６】本発明に係る伝送装置の構成を示すブロック図である。
【図７】（ａ）は外方向ＥＸＣ宛先テーブルのデータ構造を示す図であり、（ｂ）は内方向ＥＸＣ宛先テーブルのデータ構造を示す図である。
【図８】（ａ）は外方向ポインタ管理テーブルのデータ構造を示す図であり、（ｂ）は内方向ポインタ管理テーブルのデータ構造を示す図である。
【図９】図６の伝送装置の動作を示すフローチャートである。
【図１０】伝送装置によるポインタ管理テーブルの書き換えを説明する説明図である。
【発明を実施するための形態】
【００２９】
以下、本発明の実施形態について、適宜図面を参照しながら詳細に説明する。なお、同一の手段には同一の符号を付し、説明を省略した。
【００３０】
［伝送システムの概略］
図４を参照し、本発明における伝送システム１の概略について説明する。
図４に示すように、伝送システム１は、マルチレイヤ光伝送ネットワーク９０（９０１，９０２）を介して、２台の通信装置２（２１，２２）の間でデータ（パケット）を送受信するものであり、３台の伝送装置１０（１０１〜１０３）と、光ファイバケーブル３とを備える。
【００３１】
また、伝送システム１は、マルチレイヤ光伝送ネットワーク９０１を介して、伝送装置１０１，１０２を接続する。例えば、マルチレイヤ光伝送ネットワーク９０１が含まれる上段のループは、地域間の中継網である。
また、伝送システム１は、マルチレイヤ光伝送ネットワーク９０２を介して、伝送装置１０２，１０３を接続する。例えば、マルチレイヤ光伝送ネットワーク９０２が含まれる下段のループは、地域内の集線網である。
従って、伝送装置１０２は、マルチレイヤ光伝送ネットワーク９０１，９０２の中継伝送装置として機能する。
【００３２】
また、伝送システム１は、伝送装置１０１と通信装置２１とを接続し、伝送装置１０３と通信装置２２とを接続する。通信装置２１，２２は、例えば、ルータ等の通信装置であって、伝送システム１の管理対象外である。
【００３３】
マルチレイヤ光伝送ネットワーク９０は、図５に示すように、ＰＷ９０Ａ、ＬＳＰ９０Ｂ、光パス９０Ｃ等のパスを階層的に収容する。つまり、１本の光パス９０Ｃが１本以上のＬＳＰ９０Ｂを収容し、１本のＬＳＰ９０Ｂが１本以上のＰＷ９０Ａを収容する。
【００３４】
なお、伝送システム１は、通信装置２及び伝送装置１０の台数やネットワーク構成が図４の例に限定されない。例えば、伝送システム１は、中継網のみの光伝送ネットワークや、集線網のみの光伝送ネットワークにも適用可能である。
【００３５】
［伝送装置の構成］
図６を参照し、伝送装置１０の構成について説明する。
図６に示すように、伝送装置１０は、インターフェース部（局内ＩＦ１１、トランスポンダ１３、局間アンプ１５）と、スイッチング機能部（電気クロスコネクト１２、光クロスコネクト１４）と、コントロール機能部（コントローラ１６）とで構成される。
【００３６】
本実施形態では、伝送装置１０は、４個の局内ＩＦ１１１〜１１４と、１個の電気クロスコネクト１２と、４個のトランスポンダ１３１〜１３４と、１個の光クロスコネクト１４と、２個の局間アンプ１５１，１５２と、１個のコントローラ１６とを備える。
なお、伝送装置１０は、冗長化のため、電気クロスコネクト１２、光クロスコネクト１４、及び、コントローラ１６をそれぞれ２個備えてもよい（不図示）。
【００３７】
局内ＩＦ１１は、通信装置２とのインターフェースであり、図１の局内ＩＦ９１と同様のものである。
具体的には、局内ＩＦ１１は、図２（ｂ）のＩＦ宛先テーブル９３０を記憶する。そして、局内ＩＦ１１は、通信装置２から外方向のデータが入力された場合、そのデータに付加されたＰＷ９０Ａの識別情報を検索キーとして、ＩＦ宛先テーブル９３０を検索し、ＬＳＰラベルを取得する。さらに、局内ＩＦ１１は、その局内ＩＦ１１に割り当てられた識別情報と、取得したＬＳＰラベルとを、電気クロスコネクト１２に出力する。
【００３８】
＜ＩＦ宛先テーブルのデータ構造＞
図２（ｂ）を参照し、ＩＦ宛先テーブル９３０のデータ構造について説明する。
ＩＦ宛先テーブル９３０は、図２（ｂ）に示すように、‘ＰＷ  ＩＤ’及び‘ＬＳＰ  ｌａｂｅｌ’というデータ項目を有する。このＩＦ宛先テーブル９３０は、‘ＰＷ  ＩＤ’が検索キーである。
【００３９】
‘ＰＷ  ＩＤ’は、‘ａ１１’、‘ａ１２’といった、ＰＷ９０Ａを一意に識別する識別情報を表す。
‘ＬＳＰ  ｌａｂｅｌ’は、‘１００１’といった、ＬＳＰ９０Ｂのラベル名を表す。
【００４０】
なお、局内ＩＦ１１は、ＩＦ宛先テーブル９３０をハードウエアで構成される特殊なメモリを記憶してもよい。このとき、局内ＩＦ１１は、任意に検索キーを設定できないため、外方向用及び内方向用に２個のＩＦ宛先テーブルを記憶する。具体的には、局内ＩＦ１１は、図２（ｂ）のＩＦ宛先テーブル９３０を外方向用とし、ＩＦ宛先テーブル９３０とデータ項目が逆に並んでいるテーブルを内方向用とする（不図示）。
【００４１】
従って、局内ＩＦ１１は、電気クロスコネクト１２から内方向のデータが入力された場合、ＬＳＰラベルを検索キーとして、内方向用のＩＦ宛先テーブルを検索し、ＰＷ９０Ａの識別情報を取得する。
【００４２】
図６に戻り、伝送装置１０の説明を続ける。
電気クロスコネクト１２は、宛先テーブル及びポインタ管理テーブルを参照し、局内ＩＦ１１から入力されたデータの宛先になるトランスポンダ１３、及び、トランスポンダ１３から入力されたデータの宛先になる局内ＩＦ１１を決定するものである。
【００４３】
本実施形態では、電気クロスコネクト１２は、宛先テーブル記憶部１２１と、ポインタ管理テーブル記憶部１２３とを備える。
宛先テーブル記憶部１２１は、宛先テーブルとして、トランスポンダ１３決定用の外方向ＥＸＣ宛先テーブル（第１宛先テーブル）と、局内ＩＦ１１決定用の内方向ＥＸＣ宛先テーブル（第２宛先テーブル）とを記憶する。
ポインタ管理テーブル記憶部１２３は、ポインタ管理テーブルとして、トランスポンダ１３決定用の外方向ポインタ管理テーブル（第１ポインタ管理テーブル）と、局内ＩＦ１１決定用の内方向ポインタ管理テーブル（第２ポインタ管理テーブル）とを記憶する。
【００４４】
＜外方向ＥＸＣ宛先テーブル、内方向ＥＸＣ宛先テーブルのデータ構造＞
図７を参照し、外方向ＥＸＣ宛先テーブル２００Ｕ及び内方向ＥＸＣ宛先テーブル２００Ｄのデータ構造について説明する。
【００４５】
外方向ＥＸＣ宛先テーブル２００Ｕは、図７（ａ）に示すように、‘ＩＦ  ＩＤ’、‘ＬＳＰ  ｌａｂｅｌ’及び‘ＴＰ  ＩＤ’というデータ項目を有する。この外方向ＥＸＣ宛先テーブル２００Ｕは、‘ＩＦ  ＩＤ’及び‘ＬＳＰ  ｌａｂｅｌ’が検索キーである。
【００４６】
‘ＩＦ  ＩＤ’は、局内ＩＦ１１を一意に識別する識別情報を表す。例えば、１番目の局内ＩＦ１１１の識別情報が‘１’であり、２番目の局内ＩＦ１１２の識別情報が‘２’であり、３番目の局内ＩＦ１１３の識別情報が‘３’である。
‘ＴＰ  ＩＤ’は、トランスポンダ１３のポインタを表す。ポインタとは、仮想的なトランスポンダ１３を一意に識別する識別子のことである。本実施形態では、‘＊’がポインタであることを表す。例えば、１番目のトランスポンダ１３１のポインタが‘＊１’であり、２番目のトランスポンダ１３２のポインタが‘＊２’である。
【００４７】
内方向ＥＸＣ宛先テーブル２００Ｄは、図７（ｂ）に示すように、外方向ＥＸＣ宛先テーブル２００Ｕと同一のデータ項目が逆に並んでいる。この内方向ＥＸＣ宛先テーブル２００Ｄは、‘ＴＰ  ＩＤ’及び‘ＬＳＰ  ｌａｂｅｌ’が検索キーである。
【００４８】
＜外方向ポインタ管理テーブル、内方向ポインタ管理テーブルのデータ構造＞
図８を参照し、外方向ポインタ管理テーブル２１０Ｕ及び内方向ポインタ管理テーブル２１０Ｄのデータ構造について説明する。
【００４９】
外方向ポインタ管理テーブル２１０Ｕは、図８（ａ）に示すように、‘ｖＴＰ  ＩＤ’及び‘ＴＰ  ＩＤ’というデータ項目を有する。この外方向ポインタ管理テーブル２１０Ｕは、‘ｖＴＰ  ＩＤ’が検索キーである。
【００５０】
‘ｖＴＰ  ＩＤ’は、トランスポンダ１３のポインタを表す。
‘ＴＰ  ＩＤ’は、トランスポンダ１３の物理識別子を表す。この物理識別子とは、物理的なトランスポンダ１３を一意に識別する識別子のことである。例えば、１番目のトランスポンダ１３１の物理識別子が‘１’であり、２番目のトランスポンダ１３２の物理識別子が‘２’であり、３番目のトランスポンダ１３３の物理識別子が‘３’である。
この外方向ポインタ管理テーブル２１０Ｕには、４番目のトランスポンダ１３４のポインタに対応するエントリが存在しない。
【００５１】
内方向ポインタ管理テーブル２１０Ｄは、図８（ｂ）に示すように、外方向ポインタ管理テーブル２１０Ｕと同一のデータ項目が逆に並んでいる。この内方向ポインタ管理テーブル２１０Ｄは、‘ＴＰ  ＩＤ’が検索キーである。
この内方向ポインタ管理テーブル２１０Ｄは、４番目のトランスポンダ１３４のポインタに対応するエントリが‘ｎｕｌｌ’に設定されている。この‘ｎｕｌｌ’は、トランスポンダ１３のポインタが‘該当なし’であることを表す。
【００５２】
なお、電気クロスコネクト１２によるトランスポンダ１３の切替方法は、後記する伝送装置１０の動作で詳細に説明する。
【００５３】
図６に戻り、伝送装置１０の説明を続ける。
トランスポンダ１３は、光パス９０Ｃの端点であり、図１のトランスポンダ１３と同様のものである。
具体的には、トランスポンダ１３は、図２（ｂ）のＴＰ宛先テーブル９５０を記憶する。そして、トランスポンダ１３は、電気クロスコネクト１２から外方向のデータが入力された場合、ＴＰ宛先テーブル９５０を検索し、波長帯域情報を取得する。さらに、トランスポンダ１３は、そのトランスポンダ１３に割り当てられたポインタと、取得した波長帯域情報とを、光クロスコネクト１４に出力する。
また、トランスポンダ１３は、光クロスコネクト１４から内方向のデータが入力された場合、そのトランスポンダ１３に割り当てられたポインタと、そのデータに付加されたＬＳＰラベルとを、電気クロスコネクト１２に出力する。
【００５４】
＜ＴＰ宛先テーブルのデータ構造＞
図２（ｂ）を参照し、ＴＰ宛先テーブル９５０のデータ構造について説明する。
ＴＰ宛先テーブル９５０は、図２（ｂ）に示すように、‘λ’というデータ項目を有する。
‘λ’は、‘２３’といった、波長帯域情報を表す。この波長帯域情報とは、所定範囲毎に分割された波長帯域を一意に識別する識別情報である。
なお、１個のトランスポンダ１３には１つの波長帯域だけ割り当てられるので、ＴＰ宛先テーブル９５０は、１エントリのみ存在する。従って、ＴＰ宛先テーブル９５０の検索キーは存在しない。
【００５５】
図６に戻り、伝送装置１０の説明を続ける。
光クロスコネクト１４は、光信号のクロスコネクト装置であり、図１の光クロスコネクト９４と同様のものである。
具体的には、光クロスコネクト１４は、図２（ｂ）のＯＸＣ宛先テーブル９６０を記憶する。そして、光クロスコネクト１４は、トランスポンダ１３からの外方向のデータが入力された場合、そのデータに付加されたトランスポンダ１３のポインタ及び波長帯域情報を検索キーとして、ＯＸＣ宛先テーブル９６０を検索し、局間アンプ１５の識別情報を取得する。さらに、光クロスコネクト１４は、取得した識別情報に対応する局間アンプ１５にデータを出力する。
【００５６】
＜ＯＸＣ宛先テーブルのデータ構造＞
図２（ｂ）を参照し、ＯＸＣ宛先テーブル９６０のデータ構造について、説明する。
ＯＸＣ宛先テーブル９６０は、図２（ｂ）に示すように、‘ＴＰ  ＩＤ’、‘λ’及び‘ＡＭＰ  ＩＤ’というデータ項目を有する。このＯＸＣ宛先テーブル９６０は、ＴＰ  ＩＤ’及び‘λ’が検索キーである。
【００５７】
‘ＡＭＰ  ＩＤ’は、局間アンプ１５を一意に識別する識別情報を表す。例えば、１番目の局間アンプ１５１の‘ＡＭＰ  ＩＤ’が‘１’であり、２番目の局間アンプ１５２の‘ＡＭＰ  ＩＤ’が‘２’である。
‘ＴＰ  ＩＤ’は、トランスポンダ１３の物理識別子を表す。
【００５８】
なお、光クロスコネクト１４は、局内ＩＦ１１と同様、外方向用及び内方向用に２個のＩＦ宛先テーブルを記憶してもよい。この場合、局内ＩＦ１１は、図２（ｂ）のＯＸＣ宛先テーブル９６０を外方向用とし、ＯＸＣ宛先テーブル９６０とデータ項目が逆に並んでいるテーブルを内方向用とする（不図示）。
【００５９】
従って、光クロスコネクト１４は、局間アンプ１５から内方向のデータが入力された場合、局間アンプ１５の識別情報を検索キーとして、内方向用のＯＸＣ宛先テーブルを検索し、トランスポンダ１３の物理識別子及び波長帯域情報を取得する。
【００６０】
局間アンプ１５は、光パス９０Ｃで伝送する光信号を増幅する増幅器である。この局間アンプ１５は、図１の局間アンプ１５と同様のものであるため、説明を省略する。
【００６１】
コントローラ１６は、インターフェース部及びスイッチング機能部を制御するものである。また、コントローラ１６は、図２（ａ）のＰＷマッピングテーブル９００、ＬＳＰマッピングテーブル９１０、及び、光パスマッピングテーブル９２０を記憶する。
【００６２】
＜マッピングテーブルのデータ構造＞
図２（ｂ）を参照し、ＰＷマッピングテーブル９００、ＬＳＰマッピングテーブル９１０、及び、光パスマッピングテーブル９２０のデータ構造について説明する。
【００６３】
ＰＷマッピングテーブル９００は、図２（ａ）に示すように、‘ＰＷ  ＩＤ’、‘ＩＦ  ＩＤ’及び‘ＬＳＰ  ＩＤ’というデータ項目を有する。
‘ＬＳＰ  ＩＤ’は、‘ａ１’、‘ａ２’といった、ＬＳＰ９０Ｂを一意に識別する識別情報を表す。
【００６４】
ＬＳＰマッピングテーブル９１０は、‘ＬＳＰ  ＩＤ’、‘ＩＦ  ＩＤ’、‘ＬＳＰ  ｌａｂｅｌ’及び‘ＯＰ  ＩＤ’というデータ項目を有する。
‘ＯＰ  ＩＤ’は、’ａ‘といった、光パス９０Ｃを一意に識別する識別情報を表す。
【００６５】
光パスマッピングテーブル９２０は、‘ＯＰ  ＩＤ’、‘ＴＰ  ＩＤ’、‘λ’及び‘ＡＭＰ  ＩＤ’というデータ項目を有する。
これらＰＷマッピングテーブル９００、ＬＳＰマッピングテーブル９１０、及び、光パスマッピングテーブル９２０に基づいて、ＩＦ宛先テーブル９３０、ＴＰ宛先テーブル９５０、及び、ＯＸＣ宛先テーブル９６０が生成される。
【００６６】
ここで、コントローラ１６は、外部（例えば、伝送装置１０の管理者）から書き換え情報が入力される。この書き換え情報とは、切り替え前後のトランスポンダ１３の物理識別子を表す。そして、コントローラ１６は、入力された書き換え情報に基づいて、ＬＳＰマッピングテーブル９１０、及び、光パスマッピングテーブル９２０を書き換える。さらに、コントローラ１６は、外方向ポインタ管理テーブル２１０Ｕ及び内方向ポインタ管理テーブル２１０Ｄの書き換えを電気クロスコネクト１２に指令する。
【００６７】
［伝送装置の動作：トランスポンダ切替方法］
図９，図１０を参照し、伝送装置１０によるトランスポンダ切替方法を説明する（適宜図６参照）。
ここでは、１番目のトランスポンダ１３１を４番目のトランスポンダ１３４に切り替えることとして説明する。
【００６８】
図９に示すように、コントローラ１６は、外部から書き換え情報の入力を受け付ける（ステップＳ１：入力ステップ）。
例えば、コントローラ１６は、書き換え情報として、切り替え前のトランスポンダ１３１の物理識別子である‘１’、及び、切り替え後のトランスポンダ１３４の物理識別子である‘４’が入力される。
【００６９】
コントローラ１６は、ステップＳ１で入力された書き換え情報に基づいて、外方向ポインタ管理テーブル２１０Ｕ及び内方向ポインタ管理テーブル２１０Ｄの書き換えを電気クロスコネクト１２に指令する（ステップＳ２：指令ステップ）。
例えば、コントローラ１６は、電気クロスコネクト１２に対し、トランスポンダ１３１からトランスポンダ１３４への書き換えを指令する。
【００７０】
電気クロスコネクト１２は、コントローラ１６からの指令に応じて、外方向ポインタ管理テーブル２１０Ｕ及び内方向ポインタ管理テーブル２１０Ｄを書き換える（ステップＳ３：書換ステップ）。
書換ステップは、ステップＳ３０〜Ｓ３２で構成されているので、順に説明する。
【００７１】
図１０に示すように、電気クロスコネクト１２は、外方向ポインタ管理テーブル２１０Ｕにおいて、切り替え前のトランスポンダ１３１の物理識別子を、切り替え後のトランスポンダ１３４の物理識別子に書き換える（ステップＳ３０）。
すなわち、電気クロスコネクト１２は、外方向ポインタ管理テーブル２１０Ｕにおいて、ポインタ（ｖＴＰ  ＩＤ）が‘＊１’に該当するエントリの物理識別子（ＴＰ  ＩＤ）を‘１’から‘４’に書き換える。
【００７２】
また、電気クロスコネクト１２は、内方向ポインタ管理テーブル２１０Ｄで切り替え前のトランスポンダ１３１の物理識別子に対応したレコードにおいて、このレコードのポインタを‘ｎｕｌｌ’に書き換える（ステップＳ３１）。
すなわち、電気クロスコネクト１２は、内方向ポインタ管理テーブル２１０Ｄにおいて、トランスポンダ１３の物理識別子（ＴＰ  ＩＤ）が‘１’に該当するエントリのポインタ（ｖＴＰ  ＩＤ）を‘＊１’から‘ｎｕｌｌ’に書き換える。
【００７３】
また、電気クロスコネクト１２は、内方向ポインタ管理テーブル２１０Ｄで切り替え後のトランスポンダ１３４の物理識別子に対応したレコードにおいて、このレコードのポインタを、切り替え前のトランスポンダ１３１のポインタに書き換える（ステップＳ３２）。
すなわち、電気クロスコネクト１２は、内方向ポインタ管理テーブル２１０Ｄにおいて、トランスポンダ１３の物理識別子（ＴＰ  ＩＤ）が‘４’に該当するエントリのポインタ（ｖＴＰ  ＩＤ）を‘ｎｕｌｌ’から‘＊１’に書き換える。
【００７４】
このように、電気クロスコネクト１２は、外方向ポインタ管理テーブル２１０Ｕ及び内方向ポインタ管理テーブル２１０Ｄで３箇所（３エントリ）を書き換えるだけで、他のテーブルを書き換えることなく、トランスポンダ１３の切り替えを行うことができる。
なお、ステップＳ３０〜Ｓ３２は、処理の順番が特に制限されず、どの順番で実行してもよい。
【００７５】
電気クロスコネクト１２は、外方向ポインタ管理テーブル２１０Ｕ及び内方向ポインタ管理テーブル２１０Ｄと、ステップＳ３で書き換えた後の外方向ポインタ管理テーブル２１０Ｕ及び内方向ポインタ管理テーブル２１０Ｄを参照し、スイッチングを行う（ステップＳ４）。
【００７６】
具体的には、電気クロスコネクト１２は、局内ＩＦ１１から外方向のデータが入力された場合、その局内ＩＦ１１の識別情報及びＬＳＰラベルを検索キーとして、外方向ポインタ管理テーブル２１０Ｕを検索し、トランスポンダ１３のポインタを取得する。そして、電気クロスコネクト１２は、取得したポインタを検索キーとして、外方向ポインタ管理テーブル２１０Ｕを検索し、トランスポンダ１３の物理識別子を取得する。このようにして、電気クロスコネクト１２は、出力先のトランスポンダ１３を決定できる。
【００７７】
また、その電気クロスコネクト１２は、トランスポンダ１３から内方向のデータが入力された場合、そのトランスポンダ１３の物理識別子を検索キーとして、内方向ポインタ管理テーブル２１０Ｄを検索し、トランスポンダ１３のポインタを取得する。そして、電気クロスコネクト１２は、トランスポンダ１３のポインタ及びＬＳＰラベルを検索キーとして、内方向ＥＸＣ宛先テーブル２００Ｄを検索し、局内ＩＦ１１の識別情報を取得する。このようにして、電気クロスコネクト１２は、出力先の局内ＩＦ１１を決定できる。
他の点、ステップＳ４の処理は、図１の伝送装置９と同様のため、説明を省略する。
【００７８】
［作用・効果］
伝送装置１０は、光パスの端点となるトランスポンダ１３を切り替える際、従来技術に比べて、書き換えエントリ数を大幅に削減することができる。すなわち、従来技術では、光パスが収容する論理パスの数に比例して、書き換えエントリ数が増大する。一方、伝送装置１０では、書き換えエントリ数が一定（例えば、３エントリ）である。このように、伝送装置１０は、書き換えエントリ数を削減することにより、エントリ書き換えの失敗が発生する頻度を抑え、迅速なパスの切り替えを実現することができる。
【００７９】
以上、本発明の各実施形態を詳述してきたが、本発明は前記した各実施形態に限られるものではなく、本発明の要旨を逸脱しない範囲の設計変更等も含まれる。
前記した実施形態では、外方向用及び内方向用にそれぞれ２個のＥＸＣ宛先テーブル及びポインタ管理テーブルを備えることとして説明したが、本発明は、これに限定されない。つまり、伝送装置は、ＥＸＣ宛先テーブル及びポインタ管理テーブルをそれぞれ１個だけ備えてもよい。
【符号の説明】
【００８０】
１０  伝送装置
１１  ，１１１〜１１４  局内ＩＦ(インターフェース)
１２  電気クロスコネクト（スイッチング機能部）
１３，１３１〜１３４  トランスポンダ
１４  光クロスコネクト
１５，１５１，１５２  局間アンプ
１６  コントローラ
【図１】
2018085643.tif 000003
【図２】
2018085643.tif 000004
【図３】
2018085643.tif 000005
【図４】
2018085643.tif 000006
【図５】
2018085643.tif 000007
【図６】
2018085643.tif 000008
【図７】
2018085643.tif 000009
【図８】
2018085643.tif 000010
【図９】
2018085643.tif 000011
【図１０】
2018085643.tif 000012